(57)【要約】【課題】  改質材が充填された筒体を容器内に装着した状態で液体の出入れが行える使い勝手に優れた液体改質容器を提供する。【解決手段】  多孔３ａを有する筒体３内に液体Ｗを改質する改質材を充填し、同筒体３を容器本体２内に口部２ａを通じて脱着自在に装着し、容器本体２に入れた液体Ｗを筒体３内の改質材で改質できるようにした液体改質容器１であって、前記筒体３に容器本体２内とが連通し多孔３ａとは連通しない連通路を形成し、筒体３を容器本体２内に装着した状態で液体Ｗの出入れを行えるようにした。【選択図】図１
2007230582.tif 000002
【特許請求の範囲】
【請求項１】
液体を収容する容器内に液体を改質する改質材が充填された多孔を有する筒体を口部を介して挿入し、同筒体の口部を容器の口部に脱着自在に装着し、筒体の口部と容器内とを連通して液体が移動できるようにし、筒体を容器内に装着した状態で筒体の改質材で改質された液体の出入れを行えるようにした、液体改質容器。
【請求項２】
スプレー器具の吸引チューブを筒体の口部から容器内に連通させてスプレー器具を容器の口部に脱着自在に取り付けた、請求項１記載の液体改質容器。
【請求項３】
多孔を有する筒体内に液体を改質する改質材を充填し、同筒体を容器内にその底面に形成した開口を通じて脱着自在且つ水密状に装着し、筒体を容器内に装着した状態で筒体の改質材で改質された液体の出入れを行えるようにした、液体改質容器。
【請求項４】
容器の底面の開口にパッキンを介して筒体を螺合し、水密性をより高めるようにした、請求項３記載の液体改質容器。
【請求項５】
改質材が粒状のマグネシウムである、請求項１〜４いずれか記載の液体改質容器。
【発明の詳細な説明】
【技術分野】
【０００１】
本発明は、液体が収容された容器内に所定の改質材が充填された筒体を装着して液体を所要の形態に改質する液体改質容器に関し、詳しくは改質材が充填された筒体を容器に装着したまま液体の出入れを可能にして使い勝手を向上させる技術に関する。
【背景技術】
【０００２】
従来、液体改質容器としては、飲料水容器本体の口部外周に設けられた雄螺子に螺合する雌螺子を内周に有する蓋部と、該蓋部の天井より半周以上にわたり横ないし横上方向に伸びる張出部と、該天井の下面中央部より下方に向けて突出形成した、外周が飲料水容器本体の口部内径より小さな中空棒とより成り、その中空部に固形状の飲料水改質材を収納すると共に、該中空棒の側壁には中空内外を貫通する多数の小貫通孔を設けた構造のものが公知である（例えば特許文献１参照）。
【０００３】
ところで、前記構成の液体改質容器は中空棒を飲料水容器内に螺合した状態で飲料水を改質するが、螺合した中空棒が飲料水容器の蓋となっているから、飲料水の出入れの度に中空棒を取り外す必要があり、使い勝手に劣る問題があった。
【特許文献１】特開２００３−１６４８８８号公報
【発明の開示】
【発明が解決しようとする課題】
【０００４】
本発明が解決しようとする課題は、従来のこれらの問題点を解消し、改質材が充填された筒体を容器内に装着した状態で液体の出入れが行える使い勝手に優れた液体改質容器を提供することにある。
【課題を解決するための手段】
【０００５】
かかる課題を解決した本発明の構成は、
１）  液体を収容する容器内に液体を改質する改質材が充填された多孔を有する筒体を口部を介して挿入し、同筒体の口部を容器の口部に脱着自在に装着し、筒体の口部と容器内とを連通して液体が移動できるようにし、筒体を容器内に装着した状態で筒体の改質材で改質された液体の出入れを行えるようにした液体改質容器
２）  スプレー器具の吸引チューブを筒体の口部から容器内に連通させてスプレー器具を容器の口部に脱着自在に取り付けた前記１）記載の液体改質容器
３）  多孔を有する筒体内に液体を改質する改質材を充填し、同筒体を容器内にその底面に形成した開口を通じて脱着自在且つ水密状に装着し、筒体を容器内に装着した状態で筒体の改質材で改質された液体の出入れを行えるようにした液体改質容器
４）  容器の底面の開口にパッキンを介して筒体を螺合し、水密性をより高めるようにした前記３）記載の液体改質容器
５）  改質材が粒状のマグネシウムである前記１）〜４）いずれか記載の液体改質容器
にある。
【発明の効果】
【０００６】
本発明の請求項１記載の構成によれば、筒体の口部と容器内とを連通したから、筒体を容器内に装着した状態で液体が筒体の連通路を通じて出入れでき、出入れの度に筒体の取外しが不要となって使い勝手が向上する。また、請求項３記載の構成によれば筒体を容器内にその底面に形成した開口を通じて脱着自在に装着したから、同様に筒体を容器内に装着した状態で筒体の改質材で改質された液体の出入れが口部を通じて行えるようになる。
【発明を実施するための最良の形態】
【０００７】
本発明の容器としては規格化されたペットボトル等の様々なものが用いられ、その口部には用途に応じて押しボタン式のスプレー器具を装着したり、通常のキャップを装着してもよい。以下、本発明の各実施例を図面に基づいて具体的に説明する。
【実施例１】
【０００８】
図１は実施例１の液体改質容器の断面図、図２は実施例１の筒体の断面図、図３は図２のＡ−Ａ断面図である。図中、１は液体改質容器、２は容器本体、２ａは口部、２ｂは螺子部、３は筒体、３ａは多孔、３ｂは連通路、３ｃは開口、３ｄは口部、３ｅは円錐部、３ｆは係止片、３ｇはキャップ、４は押しボタン、５はチューブ、Ｍは改質材、Ｗは液体である。
【０００９】
実施例１の筒体３は、図２，３に示すようにスリット状の多孔３ａが横方向に形成されており、その上方は円錐部３ｅで上下の空間に区画するとともに係止片３ｆが形成された口部３ｄと多孔３ａの上方に形成した開口３ｃとを連通路３ｂで連通している。３ｇは改質材Ｍの出入れを行うためのキャップである。
【００１０】
この筒体３にマグネシウムからなる粒状の改質材Ｍを充填し、図１に示すように容器本体２に口部２ａを通じて挿入し、筒体３の係止片３ｆを口部２ａの外縁に係止して脱着自在に装着し、口部２ａにスプレー器具の押しボタン４を螺合している。押しボタン４に接続されているチューブ５は口部２ａ，３ｄから連通路３ｂ，開口３ｃを通して容器２内に配置している。
【００１１】
実施例１の液体改質容器１では、押しボタン４をチューブ５とともに一旦取り外して容器本体２内に液体Ｗを入れ、押しボタン４を螺合する。このとき、チューブ５は円錐部３ｅで引っ掛かることなく容器本体２内に円滑に案内されて配置できる。液体Ｗは筒体３の多孔３ａを通じて筒体３内に入り込み、改質材Ｍにより所要の形態に改質される。押しボタン４を押せば容器本体２内の液体Ｗはチューブ５を通じて上方へ吸い上げられて噴霧される。
【００１２】
このように、実施例１では筒体３に容器本体２内と連通し且つ多孔３ａとは連通しない連通路３ｂを形成したから、筒体３を容器本体２内に装着した状態で液体Ｗが筒体３の連通路３ｂを通じて出入れでき、従来と比較して出入れの度に筒体３の取り外しが不要となって使い勝手が向上する。
【実施例２】
【００１３】
図４，５に示す実施例２は、容器本体の底面を開口して筒体を脱着自在に装着できるようにした例である。図４は実施例２の液体改質容器の断面図、図５は実施例２の筒体の断面図である。図中、２ｃは開口、２ｄ，３ｈは螺子部、６はパッキンである。
【００１４】
実施例２の液体改質容器１は、図４に示すように容器本体２の底面に開口２ｃを形成して螺子部２ｄを形成している。筒体３は、図５に示すように上方にキャップ３ｇを設け、下方を拡径して螺子部３ｈを形成し、螺子部３ｈの上部に環状のパッキン６を取り付けている。図５の（ａ），（ｂ）は多孔３ａの形状の例である。
【００１５】
実施例２では、押しボタン４をチューブ５とともに取り外して容器本体２内に液体Ｗを入れ、押しボタン４を螺合する。液体Ｗは口部２ａから入れてもよいし、筒体３を取り外して底面の開口２ｃから入れてもよい。液体Ｗは実施例１と同様に筒体３の多孔３ａを通じて筒体３内に入り込み、改質材Ｍにより所要の形態に改質される。押しボタン４を押せば容器本体２内の液体Ｗはチューブ５を通じて上方へ吸い上げられて噴霧される。
【００１６】
このように、実施例２では筒体３を容器本体２内にその底面に形成した開口２ｃを通じて脱着自在に装着したから、同様に筒体３を容器本体２内に装着した状態で筒体３の改質材Ｍで改質された液体Ｗの出入れが口部２ａを通じて行えるようになる。その他、符号、構成は実施例１と同じである。
【００１７】
図６に示すのは、容器本体にペットボトルを用いて市販の飲料水を改質できるようにした実施例１の他の例である。図４は実施例１の他の例の液体改質容器の断面図である。図中、７はキャップである。その他、符号、構成、作用効果は実施例１と同じである。
【産業上の利用可能性】
【００１８】
本発明の液体改質容器は、水道水の改質に好ましく利用できる。
【図面の簡単な説明】
【００１９】
【図１】実施例１の液体改質容器の断面図である。
【図２】実施例１の筒体の断面図である。
【図３】図２のＡ−Ａ断面図である。
【図４】実施例２の液体改質容器の断面図である。
【図５】実施例２の筒体の断面図である。
【図６】実施例１の他の例の液体改質容器の断面図である。
【符号の説明】
【００２０】
１  液体改質容器
２  容器本体
２ａ  口部
２ｂ  螺子部
２ｃ  開口
２ｄ  螺子部
３  筒体
３ａ  多孔
３ｂ  連通路
３ｃ  開口
３ｄ  口部
３ｅ  円錐部
３ｆ  係止片
３ｇ  キャップ
３ｈ  螺子部
４  押しボタン
５  チューブ
６  パッキン
７  キャップ
Ｍ  改質材
Ｗ  液体
【図１】
2007230582.tif 000003
【図２】
2007230582.tif 000004
【図３】
2007230582.tif 000005
【図４】
2007230582.tif 000006
【図５】
2007230582.tif 000007
【図６】
2007230582.tif 000008